(57)【要約】【課題】携帯通信システムの非通信エリア(電波送受信不可能エリア)  において、追加設備を用いることなく、通信エリアを拡張する。【解決手段】通信を行いたい携帯電話１２３は、携帯電話網検索の結果、電話網圏外であるので、検索信号を電波１５２としてアドホック通信網圏内１４２に存在する携帯電話に向かって送信する。アドホック通信網圏１４２内にアドホック通信可能な携帯電話１２２が存在するので、携帯電話１２２が通話中でなく、アドホック通信許可の確認を行うと、携帯電話１２２との通信コネクションを確立する。携帯電話１２２は同様にしてドホック通信網圏１４１内にアドホック通信可能な携帯電話が存在するか検索し、携帯電話１２０が存在し、かつ通信エリア内ので、携帯電話１２０との通信コネクションを確立する。【選択図】図１
2008283535.tif 000002
【特許請求の範囲】
【請求項１】
アドホック通信機能を有する第１の携帯電話が携帯電話網の非通信エリアに存在する時、通信エリアにいるアドホック通信機能を有する第２の携帯電話とアドホック通信網内における通信コネクションを確立する、携帯電話網の通信エリア拡張方法。
【請求項２】
第２の携帯電話以外の、アドホック通信機能を有する携帯電話は、自己のアドホック通信網圏内に、アドホック通信機能を有する他の携帯電話が存在するか検索し、前記アドホック通信網圏内にアドホック通信機能を有する携帯電話が存在した場合、該携帯電話が通話中ではなく、かつ該携帯電話のアドホック通信利用許可があれば、該携帯電話との通信コネクションを確立する、請求項１に記載の携帯電話網の通信エリア拡張方法。
【発明の詳細な説明】
【技術分野】
【０００１】
本発明は、携帯電話網における通信エリア拡張方法に関する。
【背景技術】
【０００２】
携帯電話を用いて通信を行うためには、該携帯電話が必ず携帯電話網の基地局(以後、中継基地局)の通信可能エリア内に存在しなければならない。
【０００３】
図５において、１１０、１１１、１１２はそれぞれ中継基地局１００、１０１、１０２における電波が届く範囲(以後、セル)である。携帯端末１２０、１２１は各々セル１１０、１１２内に存在し、電波１３０、１３１を中継基地局１００、１０２と送受信可能なため、通信が可能となる。しかし、携帯電話１２２は図５のどのセルにも存在しないので通信が不可能となる。この非通信エリアを通信可能エリアとするためには、中継基地局の追加設置、移動基地局(車、飛行船など)の利用が挙げられる。しかし、これらは多額の設備投資と緊急時の即時利用が不可という問題がある。
【０００４】
なお、レスキュー隊員携行端末と、被災者が携行する無線端末がアドホック通信を行う点が記載されているが、これは、携帯電話網における通信エリアを拡張するためではない。
【特許文献１】特開２００６−２３７６６６号公報
【発明の開示】
【発明が解決しようとする課題】
【０００５】
近年の携帯電話中継基地局設置による携帯電話通信エリアのカバー率は常に増加傾向にあり、ほとんどのエリアにおいて通信が可能となっている。しかしながら、中継基地局の設置が困難なエリア(山岳や洋上など)が存在しており、今後もそのエリアに対しては対応不可となる可能性が非常に高い。また、平地より奥まったエリア(地下やマンションなど)に滞在していると電波が入りづらくなり、通信を遮断される恐れがある。
【０００６】
本発明の目的は、中継基地局の設置が困難、または電波が入りづらい場所(地下やマンション)に滞在などの理由による携帯通信システムの非通信エリア(電波送受信不可能エリア)を、追加設備を用いることなく、通信エリアに拡張する、携帯電話網の通信エリア拡張方法を提供することにある。
【課題を解決するための手段】
【０００７】
本発明の携帯電話網の通信エリア拡張方法は、アドホック通信機能を有する第１の携帯電話が携帯電話網の非通信エリアに存在する時、通信エリアにいるアドホック通信機能を有する第２の携帯電話とアドホック通信網内における通信コネクションを確立するものである。
【０００８】
本発明は、従来の携帯電話網に、携帯端末間の近距離通信に最適とされるアドホック通信網を併用したデュアル回線網の利用により、通信エリアの拡張を実現する。
【発明の効果】
【０００９】
本発明は、以下に記載するような効果を奏する。
【００１０】
第１に、アドホック通信網の併用により、追加設備を用いることなく、通常の携帯電話網より通信エリアを拡張した通信を確保できる。
【００１１】
第２に、緊急時においてもアドホック通信網を展開することにより、携帯電話網圏外に居ながら即時通信が可能である。
【発明を実施するための最良の形態】
【００１２】
次に、本発明の実施の形態について図面を参照して説明する。
【００１３】
図１は本発明の、携帯電話網の通信エリア拡張方法を適用した携帯電話通信システムの構成例を示している。本携帯電話通信システムの通信網は、中継基地局１００，１０１，１０２の通信エリアであるセル１１０，１１１，１１２と、アドホック通信網１４１，１４２,・・・からなっている。セル１１０，１１２内にはそれぞれ携帯電話１２０，１２１が存在し、電波１３０，１３１によって中継基地局１００，１０２との通信が可能となっている。通信エリア拡張方法には、以下の２通りの方法があげられる。１つ目として、携帯電話１２２のようにセル１１０内に存在する携帯電話１２０とアドホック通信を行い、携帯電話１２０のみを介する通信を行う方法。２つ目として、携帯電話１２３および、それ以上セル１１０(すべてのセルを含む)から離れている場合、呼び出し側の携帯電話は近距離内に存在するアドホック通信を可能とする携帯電話を検索し(図１では、検索する側を１２３、検索された側を１２２で表す)、その携帯電話(１２２)が再度、アドホック通信機能を用いて、セル内の携帯電話と通信が可能となるまでこの通信を確立していく方法である。
【００１４】
図２は図１中の携帯電話１２０，１２２と中継基地局１００の構成を示している。中継基地局１００は、電話網送受信部２１１とその他の既存の機能部(不図示)で構成されている。セル１１０内に存在する携帯電話１２０は電話網送受信部２０１と携帯電話通信機能部２０２とアドホック通信網送受信部２０３とアドホック通信網機能部２０４で構成されている。携帯電話通信機能部２０２は、通話、メール、Ｗｅｂ、アプリ他の機能を有している。アドホック通信網送受信部２０３はアドホック通信網における電波の送受信を行う。アドホック通信網機能部２０４はＩＰ管理、ルーティング他の機能を有している。セル１１０，１１１，１１２のいずれにも存在しない携帯電話１２２，１２３は、アドホック通信網送受信部２２１とアドホック通信機能部２２２と携帯電話１２０と同様の従来の機能部(不図示)で構成されている。
【００１５】
次に、本実施形態の動作を、非通信エリアに存在する携帯電話１２３が通信エリア（この場合セル１１０）に存在する携帯電話１２０と通信する場合について図３と図４に示すフローチャートを参照して説明する。
【００１６】
まず、ステップ３０１に、携帯電話１２３による携帯電話網検索を従来の機能を用いて実施する。携帯電話網検索の結果、ステップ３０２で電話網圏内(電波送受信可)であれば、ステップ３０３に通常の携帯電話網を利用した通信モードを実施する。実施から一定時間が経過した後、ステップ３０４にて通信が完了しているのかを確認する。通信が完了していれば、そのまま本処理を終了とする。また、通信が完了していなければステップ３０１に戻り、現在の通信位置が電話網圏内であるのかを再度確認する。これは、通信途中に圏外となり、通信が途切れるのを防止するためである。ステップ３０２で、電話網圏外(電波送受信不可)であれば、ステップ３０５でのアドホックモード開始処理を実施する。アドホックモード開始処理が始まると、アドホック通信機能部２２２より検索信号を生成し、ステップ３０６にアドホック通信網送受信部２２１より、生成した検索信号を電波１５２としてアドホック通信網圏内１４２に存在する携帯電話に向かって送信する。ステップ１０７に、アドホック通信網圏１４２内に本機能に対応した通信可能な携帯電話が存在するかどうか確認する。アドホック通信網圏１４２内に通信可能な携帯電話が存在すれば、携帯電話１２３はステップ１０８に、携帯電話１２２が通話中か否かをアドホック通信機能部２０４にて確認する。通話中でなければ、ステップ１０９に、アドホック通信許可の確認を行う。携帯電話１２３は、アドホック利用許可の情報を、携帯電話１２２よりアドホック通信網送受信部２０３を経由して受信した場合、携帯電話１２２との通信コネクションの確立処理を実施する。また、ステップ３０７，３０８で「Ｎｏ」の場合は、コネクションＮＧとしてステップ３０５に戻り、携帯電話１２３は、再度コネクション可能な携帯電話を検索する。
【００１７】
次に、ステップ３１１において、アドホック通信を許可した携帯電話１２２による携帯電話網検索を従来の機能にて実施する。携帯電話網検索の結果、ステップ３１２で電話網圏内(電波送受信可)であれば、ステップ３１３に、通常の携帯電話網およびアドホック通信網１４１を利用した通信モードを実施する。実施から一定時間が経過した後、ステップ３１４にて通信が完了しているのかを確認する。通信が完了していれば、そのまま本処理を終了とする。また、通信が完了していなければステップ３１１に戻り、現在の通信位置が電話網圏内であるのかを再度確認する。これは、通信途中に圏外となり、通信が途切れるのを防止するためである。ステップ３１２での検索の結果、電話網圏外(電波送受信不可)であれば、ステップ３１５のアドホックモード継続処理を実施する。アドホックモード継続処理が始まると、アドホック通信機能部２２２より検索信号を生成し、ステップ３１６に、アドホック通信網送受信部２０３より、生成した検索信号を電波としてアドホック通信網圏１４１内に存在する携帯電話に向かって送信する。ステップ３１６以降、前述したステップ３０５以降と同等の処理を、携帯電話網圏内の携帯電話１２０とコネクションが確立するまで続ける。
【図面の簡単な説明】
【００１８】
【図１】本発明の、携帯電話網の通信エリア拡張方法を適用した携帯電話通信システムの構成例を示す図である。
【図２】図１中の携帯端末、中継基地局の構成を示す図である。
【図３】図１、図２の実施形態の動作を示すフローチャートである。
【図４】図１、図２の実施形態の動作を示すフローチャートである。
【図５】従来の、携帯電話を用いた通信網の例を示す図である。
【符号の説明】
【００１９】
１００，１０１，１０２          中継基地局
１１０，１１１，１１２          セル
１２０，１２１，１２２，１２３  携帯電話
１３０，１３１                  電波
１４１，１４２                  アドホック通信網
１５１，１５２                  電波
２０１                          電話網送受信部
２０２                          携帯電話通信機能部
２０３                          アドホック通信網送受信部
２０４                          アドホック通信機能部
２１１                          電話網送受信部
２２１                          アドホック通信網送受信部
２２２                          アドホック通信機能部
３０１−３２０                  ステップ
【図１】
2008283535.tif 000003
【図２】
2008283535.tif 000004
【図３】
2008283535.tif 000005
【図４】
2008283535.tif 000006
【図５】
2008283535.tif 000007